(57)【特許請求の範囲】
【請求項１】
映像情報に関するキーワードを含むインデツクス情報と、上記映像情報の検索に用いる指定キーワードと、上記映像情報の所定部分を予め設定された所定時間単位で再生するブロウズ動作モードと、再生途中の上記映像情報の当該再生を停止して他の映像情報を再生するネクスト動作モードとを指定入力するための入力手段と、
所定の記録媒体に対し、複数の上記映像情報を順次記録すると共に、当該映像情報毎の、上記入力手段を介して指定入力された上記インデツクス情報と、当該インデツクス情報に対応する上記映像情報の上記記録媒体に対する記録アドレス情報とを含む管理テーブルを順次記録する記録手段と、
上記記録媒体に記録された複数の上記管理テーブルのなかから、上記入力手段を介して指定入力された上記指定キーワードと一致する上記キーワードを上記インデツクス情報として含む上記管理テーブルを検索する検索手段と、
上記検索手段による上記管理テーブルの検索結果に基づいて、上記指定キーワードと一致する上記キーワードを上記インデツクス情報として含む上記管理テーブルの一覧でなる検索結果一覧表を生成する一覧表生成手段と、
上記一覧表生成手段により生成された上記検索結果一覧表を、上記ブロウズ動作モードを指定するためのブロウズ動作指定操作キー、及び上記ネクスト動作モードを指定するためのネクスト動作指定操作キーと共に表示する一覧表示手段と、
上記検索手段によつて上記管理テーブルが検索された後、上記入力手段を介して、上記一覧表示手段により表示された上記ブロウズ動作指定操作キーが指示され上記ブロウズ動作モードが指定入力されると、上記検索結果一覧表内の上記管理テーブルの配置の順番で当該管理テーブルに含まれる上記記録アドレス情報を参照して上記映像情報の上記所定部分を上記所定時間単位で順次再生するブロウズ動作再生手段と、
上記ブロウズ動作モードによる上記映像情報の再生途中に、上記入力手段を介して、上記一覧表示手段により表示された上記ネクスト動作指定操作キーが指示され上記ネクスト動作モードが指定入力されると、当該ネクスト動作モードが指定入力された時点に上記再生途中の上記映像情報の当該再生を停止すると共に、上記検索結果一覧表内の上記管理テーブルの配置の順番に従つて次の当該管理テーブルに含まれる上記記録アドレス情報を参照して他の上記映像情報を再生するようにして、当該ネクスト動作モードの指定入力に応じて上記映像情報の再生を開始した後には、上記入力手段を介して、上記一覧表示手段により表示された上記ネクスト動作指定操作キーが指示され上記ネクスト動作モードが指定入力される毎に、当該ネクスト動作モードが指定入力された時点に再生途中の上記映像情報の当該再生を停止すると共に、上記検索結果一覧表内で順次対象となる上記管理テーブルを代えながら当該管理テーブルに含まれる上記記録アドレス情報を参照して上記映像情報の再生を開始するネクスト動作再生手段と、
上記ブロウズ動作再生手段及び上記ネクスト動作再生手段によつて再生された上記映像情報に基づく映像を表示する映像表示手段と
を具えることを特徴とする映像検索装置。
【発明の詳細な説明】
【０００１】
【目次】
以下の順序で本発明を説明する。
産業上の利用分野
従来の技術
発明が解決しようとする課題
課題を解決するための手段
作用
実施例
（１）第１実施例（図１〜図７）
（２）第２実施例（図８〜図１０）
（３）他の実施例
発明の効果
【０００２】
【産業上の利用分野】
本発明は映像検索装置に関し、例えば記録対象の映像情報を記録媒体に記録する際、管理情報（以下、これをインデツクスと呼ぶ）を付けて記録し得るようになされた、いわゆる映像ライブラリ装置に適用して好適なものである。
【０００３】
【従来の技術】
従来、映像ライブラリ装置においては、記録対象の映像情報を記録媒体に記録する際、この映像情報にタイトル、キーワード及び登録年月日等の文字情報でなるインデツクス情報を付けて記録し得るようになされている。
【０００４】
これによりこの種の映像ライブラリ装置では、この記録媒体から映像情報を再生する際にインデツクス情報に基づいて所望する映像情報をより容易に取り出し得るようになされている。
【０００５】
【発明が解決しようとする課題】
ところでかかる構成の映像ライブラリ装置においては、インデツクスを作成する際、対象となる映像情報に基づく映像内容のどこに重点を置いてタイトル及びキーワード等を入力するかによつて、インデツクスから想像し得る映像内容が実際の映像内容と異なる場合があり、インデツクス情報だけでの映像内容の確認が困難となる問題がある。
【０００６】
またこの種の映像ライブラリ装置においては、所望の映像情報を取り出す際にインデツクスに基づいて映像内容を確認するには、インデツクスを作成して映像情報を記録したオペレータの記憶に頼るところが多いため、映像情報を記録してからの時間経過及び映像情報の記録数の増加に伴い、インデクツスのみでの映像内容の確認が困難となる問題がある。
【０００７】
従つて映像ライブラリ装置は、所望の映像情報を取り出す際に記録されている映像情報をインデツクスに基づいて検索し、候補になつた映像情報を再生することによつて映像内容を確認する必要がある。このためオペレータは、インデツクスに基づく検索で候補になつた映像情報の数に応じて、これら映像情報の再生動作を繰り返すことになり、記録されている映像情報を早急に検索して所望の映像情報を取り出すには効率が悪い問題がある。
【０００８】
本発明は以上の点を考慮してなされたもので、所望の映像情報を取り出す際に記録された映像情報を容易に検索し得る映像検索装置を提案しようとするものである。
【０００９】
【課題を解決するための手段】
かかる課題を解決するため本発明においては、映像情報に関するキーワードを含むインデツクス情報と、映像情報の検索に用いる指定キーワードと、映像情報の所定部分を予め設定された所定時間単位で再生するブロウズ動作モードと、再生途中の映像情報の当該再生を停止して他の映像情報を再生するネクスト動作モードとを指定入力するための入力手段と、所定の記録媒体に対し、複数の映像情報を順次記録すると共に、当該映像情報毎の、入力手段を介して指定入力されたインデツクス情報と、当該インデツクス情報に対応する映像情報の記録媒体に対する記録アドレス情報とを含む管理テーブルを順次記録する記録手段と、記録媒体に記録された複数の管理テーブルのなかから、入力手段を介して指定入力された指定キーワードと一致するキーワードをインデツクス情報として含む管理テーブルを検索する検索手段と、当該検索手段による管理テーブルの検索結果に基づいて、指定キーワードと一致するキーワードをインデツクス情報として含む管理テーブルの一覧でなる検索結果一覧表を生成する一覧表生成手段と、当該一覧表生成手段により生成された検索結果一覧表を、ブロウズ動作モードを指定するためのブロウズ動作指定操作キー、及びネクスト動作モードを指定するためのネクスト動作指定操作キーと共に表示する一覧表示手段と、検索手段によつて管理テーブルが検索された後、入力手段を介して、一覧表示手段により表示されたブロウズ動作指定操作キーが指示されブロウズ動作モードが指定入力されると、検索結果一覧表内の管理テーブルの配置の順番で当該管理テーブルに含まれる記録アドレス情報を参照して映像情報の所定部分を所定時間単位で順次再生するブロウズ動作再生手段と、ブロウズ動作モードによる映像情報の再生途中に、入力手段を介して、一覧表示手段により表示されたネクスト動作指定操作キーが指示されネクスト動作モードが指定入力されると、当該ネクスト動作モードが指定入力された時点に再生途中の映像情報の当該再生を停止すると共に、検索結果一覧表内の管理テーブルの配置の順番に従つて次の当該管理テーブルに含まれる記録アドレス情報を参照して他の映像情報を再生するようにして、当該ネクスト動作モードの指定入力に応じて映像情報の再生を開始した後には、入力手段を介して、一覧表示手段により表示されたネクスト動作指定操作キーが指示されネクスト動作モードが指定入力される毎に、当該ネクスト動作モードが指定入力された時点に再生途中の映像情報の当該再生を停止すると共に、検索結果一覧表内で順次対象となる管理テーブルを代えながら当該管理テーブルに含まれる記録アドレス情報を参照して映像情報の再生を開始するネクスト動作再生手段と、ブロウズ動作再生手段及びネクスト動作再生手段によつて再生された映像情報に基づく映像を表示する映像表示手段とを設けるようにした。
【００１０】
【作用】
従つて本発明においては、一覧表示手段により表示されたブロウズ動作指定操作キーの指示によりブロウズ動作モードが指定されると、ユーザに対して煩雑な操作をさせずに、指定キーワードをインデツクス情報として含む管理データ内の記録アドレス情報を参照してその指定キーワードと一致するキーワードの付された映像情報の内容を確認させることができると共に、一覧表示手段により表示されたネクスト動作指定操作キーの指示によりネクスト動作モードが指定されたときには、指定キーワードをインデツクス情報として含む管理データを代えながら、その管理データ内の記録アドレス情報を参照してその指定キーワードと一致するキーワードの付された映像情報をユーザの所望する時間再生して当該映像情報の内容を確実に確認させることができる。
【００１１】
【実施例】
以下図面について、本発明の一実施例を詳述する。
【００１２】
（１）第１実施例
図１において、１は全体として実施例による映像ライブラリ装置を示し、登録・検索端末２と、映像記録再生部３と、映像モニタ部４とで構成されている。
登録・検索端末２は、デイスプレイとキーボードから構成され、ユーザがキーボードを操作するようにして入力した情報を入力情報信号Ｓ１として映像記録再生部３に出力する。
映像記録再生部３は、映像記録動作時、供給される記録対象の映像信号Ｓ２を、入力情報信号Ｓ１に基づいて得られるユーザが入力したタイトル、キーワード、登録年月日及びＩＤ等のインデツクス情報と共に記録媒体に記録する。
【００１３】
また映像記録再生部３は、映像検索動作時、ユーザが指定したキーワード（以下、これを指定キーワードと呼ぶ）を入力情報信号Ｓ１に基づいて得ると、記録媒体に記録された複数の映像信号Ｓ２のインデツクス情報を順次読み出すことによつてこれら記録媒体に記録された複数の映像信号Ｓ２のなかから指定キーワードをインデツクス情報としてもつものを検索し、この検索によつて対象となつた映像信号Ｓ２のタイトル、登録年月日及びＩＤ等のインデツクス情報を検索結果信号Ｓ３として登録・検索端末２に出力する。これにより映像記録再生部３は、これら対象となつた各映像信号Ｓ２のインデツクス情報を登録・検索端末２のデイスプレイに表示させる。
【００１４】
さらに映像記録再生部３は、この後ユーザが所定の動作モード（以下、これをブロウズ動作モードと呼ぶ）を指定したことを入力情報信号Ｓ１に基づいて確認すると、対象となつた各映像信号Ｓ２の最初の部分を予め設定された所定時間単位でそれぞれ順次読み出し、この読み出した映像信号Ｓ２を順次再生映像信号Ｓ４として映像モニタ部４に送出することによつて順次表示させる。
このように映像ライブラリ装置１では、記録媒体に記録された複数の映像信号Ｓ２のなかからユーザが入力したキーワードに対応した映像信号Ｓ２に基づく映像を順次表示するようになされ、かくしてユーザがすばやく所望の映像を検索し得るようになされている。
【００１５】
ここで映像記録再生部３は、図２に示すように、供給される映像信号Ｓ２に対してアナログデイジタル変換処理及びデータ圧縮処理を施す映像入力処理部５と、デイスク及びこのデイスクの駆動装置からなるデイスク部６（例えばハードデイスクドライブでなる）と、内部バス７と、デイスク部６のデイスクから読み出された再生映像データＳ５に対して伸長処理及びデイジタルアナログ変換処理を施す映像出力処理部８と、これら映像入力処理部５、デイスク部６及び映像出力処理部８を駆動制御するＣＰＵ９とで構成されている。
この場合映像入力処理部５内には、所定の第１のデータ単位分（例えばデイスクのセクタ単位分）の記録容量をもつバツフアが設けられている。
【００１６】
またＣＰＵ９は、映像動作記録時、図３に示す映像フアイリング処理手順ＲＴ１に従つて映像入力処理部５及びデイスク部６を駆動制御することにより、供給される映像信号Ｓ２をデイスク部６のデイスクにインデツクス情報と共に記録する一方、映像検索動作時には、図４に示す映像検索処理手順ＲＴ２に従つてデイスク部６及び映像出力処理部８を駆動制御することにより、デイスクに記録された映像信号Ｓ２のなかからユーザの指定した指定キーワードをインデツクス情報としてもつものを検索し、この検索により検出された各映像信号Ｓ２の最初の部分を必要に応じて順次映像モニタ部４に表示させるようになされている。
【００１７】
実際上ＣＰＵ９は、映像記録動作時、映像入力処理部５に映像信号Ｓ２が供給されると、図３に示す映像フアイリング処理手順ＲＴ１を開始してステツプＳＰ１からステツプＳＰ２に進み、このステツプＳＰ２においてデイスク部６に内部バス７を介して駆動制御信号Ｓ６を出力することによりこれを駆動させ、かくして第１のデータ単位分の映像情報を記録し得るようなデイスク内の空きエリアを捜す。
このとき映像入力処理部５は、供給される映像信号Ｓ２に対して順次アナログデイジタル変換処理及びデータ圧縮処理を施すことにより記録映像データＳ７を形成している。
このためＣＰＵ９は、続くステツプＳＰ３において映像入力処理部５に内部バス７を介して制御信号Ｓ８を出力することにより、形成した記録映像データＳ７を順次バツフアに書き込ませる。
【００１８】
続いてＣＰＵ９は、次のステツプＳＰ４に移り、このステツプＳＰ４において映像入力処理部５のバツフアが一杯になるのを待ち受けると共に、この後このバツフアが一杯となると映像入力処理部５に内部バス７を介して制御信号Ｓ８を出力することによりバツフアに書き込んだ記録映像データＳ７を順次内部バス７を介してデイスク部６に出力させる。またＣＰＵ９は、この際デイスク部６に内部バス７を介して記録制御信号Ｓ９を出力することによりこの記録映像データＳ７をステツプＳＰ２において捜したデイスクの空きエリア内に記録させる。
【００１９】
さらにＣＰＵ９は、この後ステツプＳＰ５に進んで、供給された映像信号Ｓ２を全てデイスク部６に記録したか否かを判断し、否定結果を得るとステツプＳＰ２に戻つてこの後このステツプＳＰ５において肯定結果を得るまで（すなわち供給される一連の映像信号Ｓ２を全てデイスク部６のデイスクに記録し終えるまで）ステツプＳＰ５−ＳＰ２−ＳＰ３−ＳＰ４−ＳＰ５のループを繰り返す。
【００２０】
この後ＣＰＵ９は、ステツプＳＰ５において肯定結果を得ると、ステツプＳＰ６に進み、登録・検索端末２から供給される入力情報信号Ｓ１に基づいて得られるユーザが入力したこの映像信号Ｓ２に対するＩＤ情報、タイトル情報、キーワード情報及び登録年月日情報のインデツクス情報と、第１のデータ単位でデイスクに記録された記録映像データＳ６のアドレス情報によつて映像データ管理テーブルを形成する。
次いでＣＰＵ９は、ステツプＳＰ７に進み、この映像データ管理テーブルと記録制御信号Ｓ９とを内部バス７を介してデイスク部６に出力することによりこの映像データ管理テーブルをデイスクの所定領域に記録させる。
さらにＣＰＵ９は、この後ステツプＳＰ８に進んでこの映像フアイリング処理手順ＲＴ１を終了することにより、この映像信号Ｓ２に対する映像記録動作を終了する。
【００２１】
この実施例の場合、図５に示すように、映像データ管理テーブルは、ＩＤ情報、タイトル情報、キーワード情報及び登録年月日情報のインデツクス情報と、記録映像データＳ７を第１のデータ単位でデイスクに記録したアドレス情報（例えば１〜Ｎ個）がそれぞれ順次並べられて形成されている。
【００２２】
またこの実施例の場合、図６に示すように、ＣＰＵ９は、一連の映像信号Ｓ２に基づく記録映像データＳ７をデイスク部６のデイスク１０にひとかたまりにまとめて、例えば1000以上のセクタ１１にセクタ又はセクタをまとめたクラスタ単位等で記録するようにデイスク部６を駆動制御すると共に、この映像信号Ｓ２の映像データ管理テーブルをこのデイスク１０内の例えば 1〜1000のセクタ１２にセクタ又はクラスタ単位等で記録するようにデイスク部６を駆動制御するようになされている。
【００２３】
一方ＣＰＵ９は、映像検索動作時、登録・検索端末２からユーザの指定した指定キーワードを入力情報信号Ｓ１として得ると、この図４に示す映像検索処理手順ＲＴ２を開始してステツプＳＰ９からステツプＳＰ１０に進み、このステツプＳＰ１０においてデイスク部６にこの指定キーワードに基づく検索信号Ｓ１０を内部バス７を介して出力することによりこれを駆動させてデイスクの所定領域に記録されている複数の映像データ管理テーブルを順次読み出して、この検索信号Ｓ１０に基づく指定キーワードをもつ映像データ管理テーブルのインデツクス情報を検索する。
かくしてＣＰＵ９は、検索によつて対象となつた各映像データ管理テーブルのＩＤ情報、タイトル情報及び登録年月日情報に基づく検索結果信号Ｓ３を登録・検索端末２に出力し、この登録・検索端末２のデイスプレイの表示画面上に検索結果一覧表を表示する。
【００２４】
次いでＣＰＵ９は、このステツプＳＰ１１において登録・検索端末２から供給される入力情報信号Ｓ１に基づいて、ユーザがブロウズ動作モードを指示したことを確認すると制御信号Ｓ１１を内部バス７を介してデイスク部６に出力することによりこれを駆動させ、かくして検索結果一覧表の最初の映像データ管理テーブルを読み出させる。
さらにＣＰＵ９は、ステツプＳＰ１２に進んで読み出された映像データ管理テーブルの第１の映像アドレス情報を参照しながらデイスク部６に制御信号Ｓ１１を内部バス７を介して出力することによりこれを駆動させ、かくして対応する映像信号Ｓ２に基づく第１のアドレスに記録された記録映像データＳ７を読み出させる。
【００２５】
続いてＣＰＵ９は、ステツプＳＰ１３に進み、デイスク部６に制御信号Ｓ１１を出力することによりこの再生した記録映像データＳ７を再生映像データＳ５として内部バス７を介して映像出力処理部８に転送させる。
次いでＣＰＵ９は、ステツプＳＰ１４に進んでこの映像出力処理部８に内部バス７を介して制御信号Ｓ１２を出力し、この再生映像データＳ５に対して順次データ伸長処理及びデイジタルアナログ変換処理を施させることにより再生映像信号Ｓ４を形成させると共に、これを映像モニタ部４に出力させることにより、この再生映像信号Ｓ４に基づく映像を映像モニタ部４に表示させる。
【００２６】
さらにＣＰＵ９は、ステツプＳＰ１５に進んでこの再生映像信号Ｓ４に基づく映像を予め設定された指定時間分だけ再生したか否かを判断し、否定結果を得るとステツプＳＰ１２に戻つてこの後ステツプＳＰ１５において肯定結果を得るまで（すなわち映像データ管理テーブルの第２以降の映像アドレス情報を順次参照しながらこれらに基づく第２以降の記録映像データＳ７を同様にして順次読み出し、指定時間再生し終えるまで）ステツプＳＰ１５−ＳＰ１２−ＳＰ１３−ＳＰ１４−ＳＰ１５のループを繰り返す。
【００２７】
この後ＣＰＵ９は、ステツプＳＰ１５において肯定結果を得るとステツプＳＰ１６に進み、次に検索によつて対象となつた映像データ管理テーブルがあるか否かを判断し、肯定結果を得るとステツプＳＰ１７に進んで、このステツプＳＰ１７において制御信号Ｓ１１を内部バス７を介してデイスク部６に出力することによりこれを駆動させ、かくして次に検索によつて対象となつた映像データ管理テーブルを読み出させる。
かくしてＣＰＵ９は、この後ステツプＳＰ１６において否定結果を得るまで（すなわち検索によつて対象となつた映像データ管理テーブルをもつ各映像信号Ｓ２を全て指定時間再生し終えるまで）ステツプＳＰ１６−ＳＰ１７−ＳＰ１２−ＳＰ１３−ＳＰ１４−ＳＰ１５−ＳＰ１６のループを同様に繰り返す。
【００２８】
この後ＣＰＵ９は、ステツプＳＰ１６において否定結果を得るとステツプＳＰ１８に進んでこの映像検索処理手順ＲＴ２を終了することにより、映像検索動作を終了する。
【００２９】
この実施例の場合、ＣＰＵ９は図７に示すように、登録・検索端末２のデイスプレイの表示画面１３上に、入力された指定キーワードに基づく検索によつて対象となつた映像データ管理テーブルのＩＤ情報、タイトル情報及び登録年月日情報が順次配列されてなる検索結果一覧表１４を表示させ、さらにこの検索結果一覧表１４に表示させた映像データ管理テーブルをもつ映像信号Ｓ２を予め任意に指定した指定時間毎に順次再生するブロウズ動作モードを指定するための操作キー１５（以下、これをブロウズ１５と呼ぶ）を表示させるようになされている。
またＣＰＵ９は、ユーザがこのブロウズ１５をライトペンの先端部で位置決め指示することによつて、登録・検索端末２からブロウズ動作モードの指定を示す入力情報信号Ｓ１が供給されると、ユーザによつてこのブロウズ動作モードが指定されたことを認識するようになされている。
【００３０】
以上の構成において、この映像ライブラリ装置１では、映像記録動作時、映像入力処理部５に映像信号Ｓ２を供給すると、ＣＰＵ９がデイスク部６のデイスク内に映像信号Ｓ２を記録するための空きエリアを捜し（ステツプＳＰ１〜ステツプＳＰ２）、この後この映像信号Ｓ２をデイスク部６のデイスク内に記録する（ステツプＳＰ３〜ステツプＳＰ５）。続いてＣＰＵ９は、デイスク部６のデイスク上に記録した映像データのアドレスと登録・検索端末２からユーザが入力した映像信号Ｓ２に基づくインデツクス情報によつて映像データ管理テーブルを作成し（ステツプＳＰ６）、この映像データ管理テーブルをＣＰＵ９が内部バス７を介してデイスク部６のデイスク内の所定領域に記録する（ステツプＳＰ７）。
【００３１】
一方映像ライブラリ装置１は、ユーザが指定キーワードを入力すると映像検索動作時に登録・検索端末２から供給されるこの指定キーワードに基づいてＣＰＵ９が、デイスク部６のデイスクに記録された映像信号Ｓ２の映像データ管理テーブルを検索してこの指定キーワードをもつ映像データ管理テーブルの検索結果一覧表１４を登録・検索端末２のデイスプレイの表示画面１３上に表示する（ステツプＳＰ９及びステツプＳＰ１０）。この後ユーザがブロウズ動作モードを指定すると、登録・検索端末２から供給されるこのブロウズ動作モードに応じてＣＰＵ９が、デイスク部６のデイスクに記録された、検索結果一覧表１４の最初の映像データ管理テーブルを読み出し（ステツプＳＰ１１）、さらにこの映像データ管理テーブル内のアドレス情報を参照することにより、このアドレスに記録された映像信号Ｓ２を読み出してこの映像信号Ｓ２に基づく映像を映像モニタ部４に表示する（ステツプＳＰ１２〜ステツプＳＰ１４）。かくして最初の映像データ管理テーブルをもつ映像信号Ｓ２に基づく映像を指定時間再生した後（ステツプＳＰ１５）、検索結果一覧表１４に表示された残りの映像データ管理テーブルをもつ映像信号Ｓ２に基づく映像を同様の動作を繰り返すことにより順次指定時間再生する（ステツプＳＰ１６及びステツプＳＰ１７）。
【００３２】
従つてこの映像ライブラリ装置１では、映像検索動作時に検索によつて対象となつた映像に対してブロウズ動作モードが指定されたときに、映像を順次指定時間再生するため、ユーザがこれら映像信号Ｓ２毎の再生動作を必要とせず、かくしてユーザが操作性を向上させて映像検索作業を行い得るようになされている。
【００３３】
以上の構成によれば、映像ライブラリ装置において、映像検索動作時に指定キーワードに基づいて検索して対象となつた映像を必要に応じて順次指定時間再生し得るようにしたことにより、ユーザが煩雑な操作を必要とせずに指定キーワードをインデツクス情報にもつ映像信号Ｓ２の内容を目視確認することができ、かくして所望の映像信号を取りだす際に記録された映像信号を容易に検索し得る映像ライブラリ装置を実現できる。
【００３４】
（２）第２実施例
図１及び図２との対応部分に同一符号を付して示す図８は、第２実施例による映像ライブラリ装置２１を示し、ＣＰＵ９の構成を除いて第１実施例の映像ライブラリ装置１と同様に構成されている。
すなわちこの映像ライブラリ装置２１の場合、映像記録再生部２２のＣＰＵ２３は、映像検索動作時、登録・検索端末２から入力情報信号Ｓ１として指定キーワードが供給されると、図９に示す映像検索処理手順ＲＴ３に従つて、第１実施例の映像ライブラリ装置１（図１）と同様にしてデイスク部６のデイスクに記録された映像データ管理テーブルのなかからこの指定キーワードをインデツクス情報にもつものを検索し、検索結果を登録・検索端末２のデイスプレイに図１０に示すような検索結果一覧表１４として表示させるようになされている。
【００３５】
またＣＰＵ２３は、この後入力情報信号Ｓ１に基づいて、ユーザによりブロウズ動作モードが指定されたことを認識すると、対象となつた各映像データ管理テーブルのうち検索結果一覧表１４の１番目の映像データ管理テーブルをもつ映像信号Ｓ２に基づく映像を映像モニタ部４に表示させる。
さらにＣＰＵ２３は、このブロウズ動作モード時において、検索によつて対象となつた映像データ管理テーブルをもつ映像信号Ｓ２に基づく映像を映像モニタ部４に表示させているときに、ユーザによつてライトペンで、ネクスト動作モードの指定用に表示させた操作キー２５（以下、これをネクスト２５と呼ぶ）が位置決め指示されたことを入力情報信号Ｓ１に基づいて認識すると、この映像信号Ｓ２に基づく映像の表示を停止して、検索結果一覧表１４の２番目の映像データ管理テーブルをもつ映像信号Ｓ２に基づく映像を映像モニタ部４に表示させる一方、この後同様にしてネクスト２５の指示に応じて順次対象となる映像データ管理テーブルを代えながら、これら映像データ管理テーブルをもつ映像信号Ｓ２に基づく映像を映像モニタ部４に表示させるようになされている。
これによりこの映像ライブラリ装置２１では、ユーザが所望の映像をよりすばやく検索し得るようになされ、かくして作業効率を向上させ得るようになされている。
【００３６】
実際上この映像ライブラリ装置２１の場合、ＣＰＵ２３は、映像検索動作時、登録・検索端末２から供給される入力情報信号Ｓ１に基づいてユーザが指定キーワードを入力したことを確認すると、図９に示す映像検索処理手順ＲＴ３をステツプＳＰ１９において開始し、続くステツプＳＰ２０〜ステツプＳＰ２４までを映像検索処理手順ＲＴ２のステツプＳＰ１０〜ステツプＳＰ１４と同様にして処理することにより、映像モニタ部４に検索結果一覧表１４の１番目の映像データ管理テーブルをもつ映像信号Ｓ２に基づく映像を表示させる。
【００３７】
ＣＰＵ２３は、続くステツプＳＰ２５において入力情報信号Ｓ１に基づきネクスト２５が指示されたか否かを判断し、否定結果を得るとステツプＳＰ２２に戻つてこの後ステツプＳＰ２５において肯定結果を得るまで（すなわちユーザがネクスト２５を指示したことを入力情報信号Ｓ１基づいて確認するまで）ステツプＳＰ２５−ＳＰ２２−ＳＰ２３−ＳＰ２４−ＳＰ２５のループを繰り返す。
【００３８】
この後ＣＰＵ２３は、ステツプＳＰ２５において肯定結果を得るとステツプＳＰ２６に進み、次に検索によつて対象となつた映像データ管理テーブルがあるか否かを判断し、肯定結果を得るとステツプＳＰ２７に進んで、このステツプＳＰ２７において制御信号Ｓ１１を内部バス７を介してデイスク部６に出力することによりこれを駆動させ、かくして次に検索によつて対象となつた映像データ管理テーブルを読み出させる。
かくしてＣＰＵ２３は、この後ステツプＳＰ２６において否定結果を得るまで（すなわち検索によつて対象となつた映像データ管理テーブルをもつ各映像信号Ｓ２を全て読み出し終えるまで）ステツプＳＰ２６−ＳＰ２７−ＳＰ２２−ＳＰ２３−ＳＰ２４−ＳＰ２５−ＳＰ２６のループを同様に繰り返す。
【００３９】
この後ＣＰＵ２３は、ステツプＳＰ２６において否定結果を得るとステツプＳＰ２８に進んでこの映像検索処理手順ＲＴ３を終了することにより、映像検索動作を終了する。
【００４０】
以上の構成において、この映像ライブラリ装置２１では、映像検索動作時、ユーザが指定キーワードを入力するとＣＰＵ２３が登録・検索端末２から供給されるこの指示キーワードに基づいて、デイスク部６のデイスクに記録された各映像信号Ｓ２を検索することによりこの指定キーワードをもつ映像信号Ｓ２を検出し、検出結果を図１０に示すような検索結果一覧表１４として登録・検索端末２のデイスプレイの表示画面２４上に表示する（ステツプＳＰ１９〜ステツプＳＰ２０）。
【００４１】
この後ユーザがブロウズ動作モードを指定すると、ＣＰＵ２３が、デイスク部６のデイスクに記録された検索結果一覧表１４の最初の映像信号Ｓ２の映像データ管理テーブルを読み出し、さらにこの映像データ管理テーブルのアドレス情報を参照しながらこの映像信号Ｓ２を読み出し始め（ステツプＳＰ２２）、この映像信号Ｓ２に基づく映像を映像モニタ部４に表示させる（ステツプＳＰ２３〜ステツプＳＰ２４）。
この後ユーザがネクスト動作モードを指定すると（ステツプＳＰ２５）、ＣＰＵ２３が、読み出し途中の映像信号Ｓ２を停止して次の映像データ管理テーブルを読み出し（ステツプＳＰ２６〜ステツプＳＰ２７）、以下同様の動作を繰り返すことにより検索によつて対象となつた映像データ管理テーブルをもつ映像信号Ｓ２に基づく映像を順次再生する。
【００４２】
従つて映像ライブラリ装置２１は、映像を順次指定時間再生する場合に発生していたこの指定再生時間内に映像内容を確認できない、又は映像内容を容易に確認でき再生時間が余る等の問題が解決でき、かくしてユーザが映像検索動作時の映像再生において確実に映像内容を確認し得るようになされている。
【００４３】
以上の構成によれば、ブロウズ動作モードが指定されて映像の再生を開始した後に所望のタイミングで映像再生を停止して次の映像再生に切り換え得るようにしたことにより、検索によつて対象となつた映像の内容を確実に確認してから次の映像の再生ができ、かくして記録した映像から所望の映像を取り出す際に、容易にかつ確実に検索し得る映像ライブラリ装置が実現できる。
【００４４】
（３）他の実施例
なお上述の実施例においては、ユーザが所定の条件を入力し、又は所定の第１の動作モードを指定入力するための入力手段として、登録・検索端末２を用いるようにした場合について述べたが、本発明はこれに限らず、種々の入力手段を用いるようにしても良い。
【００４５】
また上述の実施例においては、登録・検索端末２のデイスプレイ表示画面１３及び２４上に設けられたブロウズ１５及びネクスト２５をライトペンによつて位置決め指示するようにした場合について述べたが、本発明はこれに限らず、マウス、ジョイステイク、トラツクボール等のポインテイングデバイスにより指示しても良く、さらにキーボード等にブロウズ１５及びネクスト２５を指定する専用のスイツチ等を設けるようにしても良い。
【００４６】
さらに上述の実施例においては、入力手段に入力された所定の条件として指定キーワードを入力するようにした場合について述べたが、本発明はこれに限らず、ＩＤ、タイトル又は登録年月日等のインデツクス情報の内容に基づく種々の情報を指定するようにしても良い。
【００４７】
さらに上述の実施例においては、表示手段として映像モニタ部４を用いて映像を表示するようにした場合について述べたが、本発明はこれに限らず、登録・検索端末２のデイスプレイに映像を表示するようにしても良い。
【００４８】
さらに上述の実施例においては、所定の記録媒体としてハードデイスクを用いるようにした場合について述べたが、本発明はこれに限らず、磁気デイスク又は光デイスク等のデイスク状記録媒体や磁気テープ等のテープ状記録媒体等の種々の形状の記録媒体を用いるようにしても良い。
【００４９】
さらに上述の実施例においては、デイスク部６のデイスクに映像信号Ｓ２に基づく記録映像データＳ７と映像データ管理テーブルとを記録するようにした場合について述べたが、本発明はこれに限らず、例えば映像信号Ｓ２に基づく記録映像データＳ７と映像データ管理テーブルとを別々のデイスクや不揮発性メモリ等の記録デバイスに記録するようにしても良い。
【００５０】
さらに上述の実施例においては、映像検索時の映像再生において記録されている映像信号Ｓ２の最初の部分を再生するようにした場合について述べたが、本発明はこれに限らず、インデツクス情報のキーワードに対応した部分（映像のメインとなる部分）の映像等、映像信号Ｓ２中の種々の部分を再生するようにしても良い。
【００５１】
さらに上述の実施例においては、映像検索動作時にユーザが指定キーワードを指定すると登録・検索端末２から供給される入力情報信号Ｓ１に基づいてＣＰＵ９及び２３が確認し、このＣＰＵ９及び２３がデイスク部６に検索信号Ｓ１０を送出してデイスク部６のデイスクに記録されている映像データ管理テーブルを読み出し検索するようにした場合について述べたが、本発明はこれに限らず、例えば映像ライブラリ装置１及び２１の起動によつてＣＰＵ９及び２３がデイスク部６から映像データ管理テーブルを取り込むようにしても良く、このようにすることによりＣＰＵ９及び２３は、ユーザが指定キーワードを指定した際にデイスク部６へのアクセスを必要とせず、このＣＰＵ９及び２３の内部で検索できるために検索時間が短縮できる。
【００５２】
さらに上述の第２実施例においては、検索によつて対象となつた各映像データ管理テーブルをもつ映像信号Ｓ２の読み出しを開始した後にネクスト２５が指示されて次の映像データ管理テーブルをもつ映像信号Ｓ２を読み出すようにした場合について述べたが、本発明はこれに限らず、ブロウズ動作モードにより再生時間を予め指定するようにして、この指定時間内にネクスト２５が指示された場合には次の映像データ管理テーブルをもつ映像信号Ｓ２が読み出され、この指定時間内にネクスト２５が指示されたない場合にはブロウズ動作モードにより指定時間再生後に次の映像データ管理テーブルをもつ映像信号Ｓ２を読み出すようにしても良い。
【００５３】
さらに上述の実施例においては、本発明を映像ライブラリ装置１及び２１に適用するようにした場合について述べたが、本発明はこれに限らず、記録対象となる情報にインデツクス情報を付けて記録し、所望の情報を取りだす場合にインデツクス情報に基づいて検索する構成の、例えば文字又は音声等の種々の情報検索装置に用いても良い。
【００５４】
【発明の効果】
上述のように本発明によれば、記録媒体に記録された複数の管理テーブルのなかから、入力手段を介して指定入力された指定キーワードと一致するキーワードをインデツクス情報として含む管理テーブルを検索し、その検索結果に基づいて、指定キーワードと一致するキーワードをインデツクス情報として含む管理テーブルの一覧でなる検索結果一覧表を生成して当該生成した検索結果一覧表をブロウズ動作指定操作キー及びネクスト動作指定操作キーと共に表示し、入力手段を介してブロウズ動作指定操作キーが指示されブロウズ動作モードが指定入力されると、検索結果一覧表内の管理テーブルの配置の順番で当該管理テーブルに含まれる記録アドレス情報を参照して映像情報の所定部分を所定時間単位で順次再生し、そのブロウズ動作モードによる映像情報の再生途中に、入力手段を介してネクスト動作指定操作キーが指示されネクスト動作モードが指定入力されると、当該ネクスト動作モードが指定入力された時点に再生途中の映像情報の当該再生を停止すると共に、検索結果一覧表内の管理テーブルの配置の順番に従つて次の当該管理テーブルに含まれる記録アドレス情報を参照して他の映像情報を再生するようにして、当該ネクスト動作モードの指定入力に応じて映像情報の再生を開始した後には、入力手段を介してネクスト動作指定操作キーが指示されネクスト動作モードが指定入力される毎に、当該ネクスト動作モードが指定入力された時点に再生途中の映像情報の当該再生を停止すると共に、検索結果一覧表内で順次対象となる管理テーブルを代えながら当該管理テーブルに含まれる記録アドレス情報を参照して映像情報の再生を開始し、このようにして再生した映像情報に基づく映像を表示するようにしたことにより、ブロウズ動作指定操作キーの指示によりブロウズ動作モードが指定されると、ユーザに対して煩雑な操作をさせずに、指定キーワードをインデツクス情報として含む管理データ内の記録アドレス情報を参照してその指定キーワードと一致するキーワードの付された映像情報の内容を確認させることができると共に、ネクスト動作指定操作キーの指示によりネクスト動作モードが指定されたときには、指定キーワードをインデツクス情報として含む管理データを代えながら、その管理データ内の記録アドレス情報を参照してその指定キーワードと一致するキーワードの付された映像情報をユーザの所望する時間再生して当該映像情報の内容を確実に確認させることができ、かくして所望の映像情報を取り出す際に、記録された映像情報を容易にかつ確実に検索し得る映像検索装置を実現することができる。
【図面の簡単な説明】
【図１】本発明の第１の実施例による映像ライブラリ装置の構成を示すブロツク図である。
【図２】第１の実施例による映像ライブラリ装置の映像記録再生部の構成を示すブロツク図である。
【図３】映像ライブラリ装置の映像フアイリング処理手順を示すフローチヤートである。
【図４】第１の実施例による映像ライブラリ装置の映像検索処理手順を示すフローチヤートである。
【図５】映像記録動作時に作成される映像データ管理テーブルを示す概略図である。
【図６】デイスクの各記録領域を示す略線図である。
【図７】第１の実施例による登録・検索端末のデイスプレイ表示画面を示す略線図である。
【図８】本発明の第２の実施例による映像ライブラリ装置の構成を示すブロツク図である。
【図９】第２の実施例による映像ライブラリ装置の映像検索処理手順を示すフローチヤートである。
【図１０】第２の実施例による登録・検索端末のデイスプレイ表示画面を示す略線図である。
【符号の説明】
１、２１……映像ライブラリ装置、２……登録・検索端末、３、２２……映像記録再生部、４……映像モニタ部、５……映像入力処理部、６……デイスク部、７……内部バス、８……映像出力処理部、９、２３……ＣＰＵ、１０……デイスク、１１、１２……セクタ、１３、２４……デイスプレイ表示画面、１４……検索結果一覧表、１５……ブロウズ、２５……ネクスト。
【図１】
0003934693.tif 000002
【図２】
0003934693.tif 000003
【図３】
0003934693.tif 000004
【図４】
0003934693.tif 000005
【図５】
0003934693.tif 000006
【図６】
0003934693.tif 000007
【図７】
0003934693.tif 000008
【図１０】
0003934693.tif 000009
【図８】
0003934693.tif 000010
【図９】
0003934693.tif 000011